(57)【要約】【課題】健常者と視覚障害者の双方のユーザービリティの確保及びデザインの自由度を確保することができない。【解決手段】情報処理装置１側でＵＩの表示設定を取得し、表示設定のカスタマイズがあるか否かを判別し、表示設定のカスタマイズがあるときには、ジョブ制御コマンド中にＵＩの表示設定を画面表示設定情報として組み込んだＰＪＬコマンドを生成し、データを画像形成装置２に送信する。画像形成装置２は、情報処理装置１から受信したＰＪＬコマンドを解析し、画面表示設定情報を示すコマンド（表示コマンド）があるか否かを判別し、表示コマンドがあれば、パネル表示部２４の画面表示設定情報として記憶部２２に保存し、保存した画面表示設定情報に応じた画面をパネル表示部２４に表示する。【選択図】図３
2009187128.tif 000002
【特許請求の範囲】
【請求項１】
少なくとも表示部を有する画像形成装置と、この画像形成装置に与える情報を処理する情報処理装置と、を備える画像形成システムにおいて、
前記情報処理装置には前記画像形成装置の表示部に表示する画面を設定する画面表示設定情報を前記画像形成装置に送信する手段を、
前記画像形成装置には前記情報処理装置から受信した前記画面表示設定情報に応じて前記表示部に表示する画面を変更する手段を、
備えていることを特徴とする画像形成システム。
【請求項２】
請求項１に記載の画像形成システムにおいて、前記情報処理装置は、プリンタドライバでユーザーインターフェースの表示設定を変更可能であり、前記ユーザーインターフェースの表示設定を前記画面表示設定情報として送信することを特徴とする画像形成システム。
【請求項３】
請求項１に記載の画像形成システムにおいて、前記情報処理装置は、自身の表示部に表示する画面の設定情報を前記画面表示設定情報として送信することを特徴とする画像形成システム。
【請求項４】
請求項１に記載の画像形成システムにおいて、前記画像形成装置は、前記情報処理装置から受信した画面表示設定情報を自身の表示部に表示可能な画面の設定に変更することを特徴とする画像形成システム。
【請求項５】
請求項１ないし４のいずれかに記載の画像形成システムにおいて、前記画面表示設定情報には、画面を構成する文字の色、サイズ、表示オブジェクトの配色の少なくともいずれかを含むことを特徴とする画像形成システム。
【請求項６】
表示部を備える画像形成装置において、
情報処理装置に対して前記表示部に表示する画面を設定する画面表示設定情報の送信を要求する手段と、
前記情報処理装置から返信された前記画面表示設定情報に応じて前記表示部に表示する画面を変更する手段と
を備えていることを特徴とする画像形成装置。
【発明の詳細な説明】
【技術分野】
【０００１】
本発明は画像形成システム及び画像形成装置に関し、特に画像形成装置の表示部の画面表示の設定を情報処理装置側から変更可能な画像形成システム及び画像形成装置に関する。
【背景技術】
【０００２】
近年、障害者の社会的進出を促進し、健常者と同様に働ける環境を整備するために、各種のプリント出力を行う画像形成装置や画像形成装置と情報処理装置を組み合わせた画像形成システムにおいては種々の対応が講じられている。例えば、画像形成装置や画像形成システムにおいて、ユーザ（使用者）に対する必要な情報の提供は主に表示装置を使用して行われるが、視覚障害者の場合、健常者と比較して、表示画面の見え方が異なることになる。そこで、例えば、緑と赤の区別がつかない赤緑色盲の使用者に対応するために青色ＬＥＤを表示部に使用し、また、弱視の使用者に対応するためパネルなどの文字の大きさを切替えられるようにし、より大きな文字で表示できるようにすることが行われている。
【０００３】
また、特許文献１に記載されているように、視覚障害者のユーザービリティを高める目的で、ＲＦＩＤに個人情報（視覚障害）を記録し、画像形成装置に読み取らせることにより、動的に表示パネルを点字モードに切り替えるようにしたものが知られている。
【特許文献１】特許第３８４２４８３号公報
【発明の開示】
【発明が解決しようとする課題】
【０００４】
しかしながら、これまでの画像形成装置や画像形成システムは、健常者も視覚障害者も同じ表示装置で対応しなければならないために、ＬＥＤ（表示手段）のデザインに制限が発生したり、あるいは、健常者に対するユーザービリティを一部損なうという課題がある。
【０００５】
本発明は上記の課題に鑑みてなされたものであり、健常者と視覚障害者に対して動的に表示画面を切替えられるようにして、健常者と視覚障害者の双方のユーザービリティの確保及びデザインの自由度を確保することを目的とする。
【課題を解決するための手段】
【０００６】
上記の課題を解決するため、本発明に係る画像形成システムは、
少なくとも表示部を有する画像形成装置と、この画像形成装置に与える情報を処理する情報処理装置と、を備える画像形成システムにおいて、
前記情報処理装置には前記画像形成装置の表示部に表示する画面を設定する画面表示設定情報を前記画像形成装置に送信する手段を、
前記画像形成装置には前記情報処理装置から受信した前記画面表示設定情報に応じて前記表示部に表示する画面を変更する手段を、
備えている構成とした。
【０００７】
ここで、前記情報処理装置は、プリンタドライバでユーザーインターフェースの表示設定を変更可能であり、前記ユーザーインターフェースの表示設定を前記画面表示設定情報として送信する構成とできる。
【０００８】
また、前記情報処理装置は、自身の表示部に表示する画面の設定情報を前記画面表示設定情報として送信する構成とできる。
【０００９】
また、前記画像形成装置は、前記情報処理装置から受信した画面表示設定情報を自身の表示部に表示可能な画面の設定に変更する構成とできる。
【００１０】
また、前記画面表示設定情報には、画面を構成する文字の色、サイズ、表示オブジェクトの配色の少なくともいずれかを含むことが好ましい。
【００１１】
本発明に係る画像形成装置は、
表示部を備える画像形成装置において、
情報処理装置に対して前記表示部に表示する画面を設定する画面表示設定情報の送信を要求する手段と、
前記情報処理装置から返信された前記画面表示設定情報に応じて前記表示部に表示する画面を変更する手段と
を備えている構成とした。
【発明の効果】
【００１２】
本発明に係る画像形成システム及び本発明に係る画像形成装置によれば、情報処理装置から送信される画面表示設定情報に応じて画像形成装置の表示部に表示する画面を変更することができるので、健常者と視覚障害者に対して動的に表示画面を切替えられるようになり、健常者と視覚障害者の双方のユーザービリティの確保及びデザインの自由度を確保することができる。
【発明を実施するための最良の形態】
【００１３】
以下、本発明の実施の形態について添付図面を参照して説明する。本発明に係る画像形成システムの一例について図１のブロック説明図を参照して説明する。
この画像形成システムは、パーソナルコンピュータなどの情報処理装置１と、インクジェット記録装置や電子写真画像形成装置などの画像形成装置２とで構成される。情報処理装置１は、装置全体の制御を司る制御部（ＣＰＵ）１１と、ＯＳ，アプリケーションソフト、プリンタドライバなどの各種プログラムの格納エリア、ワーキングエリアなどとして使用するＭＥＭ、ＨＤＤなどで構成される記憶部１２と、各種情報を表示するディスプレイ装置で構成される表示部１３と、各種情報を入力するマウス、キーボードなどの入力部１４と、ネットワーク、ＵＳＢなどで構成される通信部１５とを備えている。
【００１４】
画像形成装置２は、装置全体の制御を司る制御部（ＣＰＵ）２１と、各種プログラムの格納エリア、ワーキングエリアなどとして使用するＲＯＭ、ＲＡＭなどで構成される記憶部２２と、画像形成を行う画像形成エンジン（プロッタ部）を備える印刷部２３と、各種情報を表示するパネル表示装置で構成される表示部２４と、各種情報を入力する操作部２５と、外部装置とのＩ／Ｆ２６と、ネットワーク、ＵＳＢなどで構成される通信部２７とを備えている。
【００１５】
そして、情報処理装置１と画像形成装置２とは、各々、表示部１３、２４に表示する表示画面設定の情報を記憶部１２，２２に保存し、情報処理装置１は画面表示設定情報を通信部１５を介して画像形成装置２に送信し、画像形成装置２は通信部２７を介して情報処理装置１から受信する画面表示設定情報に応じて表示部２４に表示する表示画面を変更する処理を行うようにしている。
【００１６】
次に、この画像形成システムにおける画像形成装置の画面表示の設定を変更する第１実施形態について図２及び図３を参照して説明する。
例えば、情報処理装置１に搭載するプリンタドライバとして、視覚障害者に対する操作性を向上するため、ユーザーインターフェース（以下「ＵＩ」という。）として表示設定を変更可能とするものがあり、具体的には、ＵＩで使用する「フォントサイズ」（文字のサイズ）、「表示オブジェクトの配色」（文字やその他のオブジェクトの色）などの設定が可能となっている。このようなプログラムでは、弱視、色覚障害等の障害を持つユーザーは、各々ＵＩの表示を自分用にカスタマイズして使用する。
【００１７】
この画像処理装置１から画像形成装置２に対して送信する印刷データフォーマットは、例えば、図２に示すように、「ジョブ制御コマンド」（トレイ、カバーページなど（ＰＪＬ：プリントジョブ言語））、「ドキュメント情報」（ジョブ名、集約印刷など）、「ページ情報」（ポート／ランドスケープ、カラー／モノなど）と「描画情報」（実際に印字されるデータ）のｎ個の繰り返し、「ドキュメント終了」（ドキュメント終了目印）で構成される。
【００１８】
ここで、画像形成装置２の本体制御については、各ジョブで送信される「ジョブ制御コマンド」を使用することにより、１ジョブ毎に、制御を変更することができる。そこで、この「ジョブ制御コマンド」に、情報処理装置１側のＵＩの表示設定を画面表示設定情報として、ジョブ制御コマンドに組み込み、情報処理装置１から画像形成装置２に送信することにより、ユーザーが情報処理装置１に設定したプリンタドライバのＵＩの表示設定に依存したパネル表示を、ユーザー毎に動的な切り替えることができるようになる。
【００１９】
この場合の画像形成装置２の表示部２４におけるパネル表示切替制御の処理は、図３に示すように、情報処理装置１側でＵＩの表示設定を取得し、表示設定のカスタマイズがあるか否かを判別し、表示設定のカスタマイズがあるときには、ジョブ制御コマンド中にＵＩの表示設定を画面表示設定情報として組み込んだＰＪＬコマンドを生成し、データを画像形成装置２に送信する。なお、データ送信量削減のため、表示情報が不要の場合は送信しない。
【００２０】
画像形成装置２は、情報処理装置１から受信したＰＪＬコマンドを解析し、画面表示設定情報を示すコマンド（表示コマンド）があるか否かを判別し、表示コマンドがあれば、パネル表示部２４の画面表示設定情報として記憶部２２に保存し、保存した画面表示設定情報に応じた画面をパネル表示部２４に表示する。
【００２１】
このように、この画像形成システムによれば、情報処理装置から送信された画面表示設定情報に応じて画像形成装置の表示部の画面を変更することができるので、健常者と視覚障害者に対して動的に表示画面を切替えられるようになり、健常者と視覚障害者の双方のユーザービリティの確保及びデザインの自由度を確保することができる。
【００２２】
この場合、情報処理装置は、プリンタドライバでユーザーインターフェースの表示設定を変更可能であり、ユーザーインターフェースの表示設定を画面表示設定情報として画像形成装置に送信する構成とすることで、簡単な構成で情報処理装置から送信された画面表示設定情報に応じて画像形成装置の表示部の表示画面を変更することができる。
【００２３】
次に、画像形成装置の画面表示の設定を変更する第２実施形態について図４を参照して説明する。
上記第１実施形態ではプリンタドライバ（プログラム）のＵＩ自体に表示設定のカスタマイズ機能がある場合の例であるが、このような機能を持たないプログラムも数多く存在する。また、使用する情報処理装置１としてのパーソナルコンピュータ（ＰＣ）上には複数のプログラム（ドライバを含む）が入っているため、各プログラムごとに表示プログラムも数多く存在する。さらに、使用する情報処理装置１とＰＣ上には複数のプログラム（ドライバを含む）が入っているため、各プログラムごとに表示設定を変更することは手間がかかる。
【００２４】
そこで、この第２実施形態においては、情報処理装置１として使用するＰＣ上のＯＳの設定として存在している表示設定を画像形成装置２に画面表示設定情報として送信する構成としている。例えば、ＯＳによって、画面のプロパティとして文字サイズ、コントラスト、配色などを設定することができ、例えば、ＰＣのユーザーが、弱視だった場合、フォントサイズを大きくして使用することが多く、また、色弱の場合は、コントラストを強調した画面設定で使用していることが多い。例えば、図４（ａ）はＷｉｎｄｏｗｓ（登録商標）の通常設定の表示画面の例であり、同図（ｂ）は同じくカスタマイズ設定の表示画面の例である。
【００２５】
これらの設定はＯＳ標準の設定であるが、プログラム上からＡＰＩ（アプリケーション  プログラム  インタフェース）を使用することにより、表示設定を取得することができる。そこで、そのＯＳの表示設定から取得した表示設定情報を、前述した第１例と同様に、ＰＪＬコマンドにより、画像形成装置２側に送信することで、画像形成装置２側ではユーザにあった、パネル表示部２４の画面表示を行うことができる。
【００２６】
次に、画像形成装置の画面表示の設定を変更する第３実施形態について図５及び図６を参照して説明する。
情報処理装置１の表示部１２における画面表示と画像形成装置２の表示部２４のパネル表示部２４の画面表示については、可能であれば、全く同じ設定で表示可能であるが、通常の画像形成装置２のパネル表示部２４は情報処理装置１の表示部２（ディスプレイ）と比較して、表現能力が乏しいことが多い。例えば、情報処理装置１として使用するＰＣ側では、フォントサイズについては、ポイント数で任意のサイズを指定できるのに対し、画像形成装置２側のパネル表示部２４ではその解像度から、大中小の３段階（あるいは大小の２段階）程度の設定しかできない場合が多い。
【００２７】
そこで、この第３実施形態では、このように各装置１，２の表示部１２、２４の表示能力が異なる場合おいて、画像形成装置２側にパネル表示部２４の表示能力に合わせるため、情報処理装置１側のフォントサイズ（ポイント数）を閾値として、そのポイント数から、パネル表示部２４の文字サイズ表示設定を行うことにより、能力の劣るパネル表示部２４でも表示できるようにしている。
【００２８】
例えば、図５に示すように、情報処理装置１側でポイント数で表される文字サイズ設定情報について、画像形成装置２側では１３ポイント以上であれば大きなサイズのフォント（フォント大）、１０〜１２ポイントであれば中くらいのサイズのフォント（フォント中）、９ポイント以下であれば小さなサイズのフォント（フォント小）に変更することで、情報処理装置１側と表示能力が異なるパネル表示部２４であっても、ユーザーに対しては同様な効果を得ることができるようになる。
【００２９】
この場合の処理の一例について図６のフロー図を参照して説明する。
画像形成装置２の制御部２１は、操作部２５から閾値を入力して、記憶部２２に閾値の設定を保存する。そして、印刷データを受信し、ＰＪＬコマンドを解析する。ここで、ＰＪＬコマンドに含まれる情報処理装置１側から送信されたフォントサイズが「フォント中」の設定値内であるか否かを判別し、「フォント中」の設定値内であれば「フォント中」でパネル表示部２４に表示（パネル表示）し、「フォント中」の設定値内でなければ、「フォント中」の設定値より大きいか小さいかを判別し、「フォント中」の設定値より大きければ「フォント大」でパネル表示部２４に表示（パネル表示）し、「フォント中」の設定値より小さければ「フォント小」でパネル表示部２４に表示（パネル表示）する。
【００３０】
次に、本発明に係る画像形成装置の実施形態について図７に示すフロー図を参照して説明する。
ここでは、画像形成装置２側から情報処理装置１側に画面表示設定情報の送信要求をして、これに対して情報処理装置１側が画面表示設定情報を画像形成装置２に送信するようにしている。なお、その他の説明は前記第１実施形態と同様である（他の実施形態を適用することもできる。）ので、その説明は省略する。
【図面の簡単な説明】
【００３１】
【図１】本発明に係る画像形成システムの一例を示すブロック説明図である。
【図２】同システムにおける画像形成装置の画面表示の設定を変更する第１実施形態の説明に供する情報処理装置から画像形成装置に送信する印刷データフォーマットの一例を示す説明図である。
【図３】同じくフロー図である。
【図４】同システムにおける画像形成装置の画面表示の設定を変更する第２実施形態の説明に供する情報処理装置の表示設定の一例を示す説明図である。
【図５】同システムにおける画像形成装置の画面表示の設定を変更する第３実施形態の説明に供するフォントサイズの変換の一例を示す説明図である。
【図６】同じくフロー図である。
【図７】本発明に係る画像形成装置の実施形態の説明に供するフロー図である。
【符号の説明】
【００３２】
１…情報処理装置
２…画像形成装置
１１…制御部
１２…記憶部
１３…表示部
１５…通信部
２１…制御部
２２…記憶部
２４…表示部
２７…通信部
【図１】
2009187128.tif 000003
【図２】
2009187128.tif 000004
【図３】
2009187128.tif 000005
【図４】
2009187128.tif 000006
【図５】
2009187128.tif 000007
【図６】
2009187128.tif 000008
【図７】
2009187128.tif 000009